(57)【要約】【課題】本発明は震災発生地、地方自治体等のガレキ等の焼却炉よりの焼却灰処理方法を提案する。  【解決手段】焼却灰に散水する第一工程と、第一工程において散水された焼却灰と土石を混合し、混合した後にセメントを混合する第二工程と、第二工程で混合された混合物並びに、セメント固化を補助する固化薬剤、原水槽からの水、および固化薬剤と原水槽からの水の混合物の流動を容易にする流動可剤とを混合したセメント固化補助剤とを混合し、混合した後の混合物を養生ヤードにて固化する第三工程とで構成することにより、焼却灰を処理することができる。【選択図】図３
2015131291.tif 000002
【特許請求の範囲】
【請求項１】
焼却灰に散水する第一工程と、前記第一工程において散水された焼却灰と土石を混合し、前記混合した後にセメントを混合する第二工程と、前記第二工程で混合された混合物並びに、セメント固化を補助する固化薬剤、原水槽からの水、および前記固化薬剤と前記原水槽からの水の混合物の流動を容易にする流動可剤とを混合したセメント固化補助剤とを混合し、前記混合した後の混合物を養生ヤードにて固化する第三工程からなる焼却灰処理方法。
【発明の詳細な説明】
【技術分野】
【０００１】
本発明は放射性物質を含む焼却灰の処理に関する放射性物質除去方法及び処理装置に関するものである。
【背景技術】
【０００２】
従来は放射性物質を含む焼却灰と固化に使用するセメントの一部を水分と共に撹拌処理して可燃性廃棄物中の両性金属をイオン化し又は、両性金属水酸化物とした後残余のセメントを投入して混練し、成型して固化するセメント固化処理方法があった。（特許文献１参照）
【０００３】
可燃性廃棄物の廃棄物焼却灰のセメント固化処理する処理方法で焼却灰、水、固化に使用するセメントの一部を撹拌し、撹拌した後固化使用するセメントの残余を投入後混練し固化する方法であった。
【先行技術文献】
【特許文献】
【０００４】
【特許文献１】特開２０１３−２０２４６４号公報
【発明の概要】
【発明が解決しようとする課題】
【０００５】
本発明は、震災発生場所等の地区における放射性物質を含むガレキ等の焼却炉よりの放射性物質を含む焼却灰処理問題を解決する事にある。
【０００６】
従来は両性金属を含む放射性物質等を含む廃棄物質等を固化して使用するセメントの一部と水と放射性物質を含む灰を撹拌後固化に使用するセメントの残余と混合して、セメント固化するという方法で処理していた。又固化した固化物は放射性物質を含む固化物となっていた為再利用い出来ない処理方法であった。
【課題を解決するための手段】
【０００７】
本発明は、上記目的を解決するために、放射性物質を含む焼却灰と洗浄水と混合撹拌し、混合撹拌した混合物を洗浄済焼却灰と洗浄後洗浄水に分離し、洗浄済焼却灰を脱水して洗浄済脱水焼却灰を生成し、洗浄後洗浄水に放射性物質吸着剤および凝集剤を混合し、混合した混合物を脱水処理し、脱水処理した後の脱水後混合物を封入処理し、洗浄後洗浄水に放射性物質吸着剤および凝集剤を混合した時の処理水および混合物を脱水処理した時の処理水を貯留した後放出処理する第一工程と、第一工程の洗浄済脱水焼却灰と土石を混合し、混合した後にセメントを混合する第二工程と、第二工程で混合された混合物とセメント固化補助剤を混合し、混合した混合物を養生ヤードにて固化する第三工程とで構成したものである。
【０００８】
また本発明は、放射性物質を含む焼却灰と洗浄水とを混合撹拌する混合撹拌機と、混合撹拌した混合物を洗浄済焼却灰と洗浄後洗浄水に分離する静置分離槽と、洗浄済焼却灰を脱水して洗浄済脱水焼却灰を生成する脱水機と、洗浄後洗浄水に放射性物質吸着剤および凝集剤を混合する混合機と、混合した混合物を脱水処理する脱水機と、脱水処理した後の脱水後混合物を封入処理する封入容器と、洗浄後洗浄水に放射性物質吸着剤および凝集剤を混合した時の処理水および混合物を脱水処理した時の処理水を貯留した後に放出処理する処理水槽とからなる第一工程と、前記第一工程の洗浄済脱水焼却灰と土石を混合し、混合した後にセメントを混合する混合機とからなる第二工程と、第二工程で混合された混合物とセメント固化補助剤を混合する混合機と、混合機で混合した混合物を養生ヤードにて固化する第三工程とで構成したものである。
【０００９】
さらに、本発明は第三工程におけるセメント固化補助剤は、セメント固化する固化薬剤と原水槽からの水量調整をした後の水を混合し、混合した混合物の重量を計量して生成する構成としたものである。
【００１０】
そして本発明は、第三工程におけるセメント固化補助剤は、セメント固化する固化薬剤を供給する薬剤槽と、原水槽からの水量を調整する水量調整機と、水量調整した後の水を混合する混合機と、混合した混合物の重量を計量する計量機とで構成したものである。
【００１１】
また本発明は、焼却灰に散水する第一工程と、第一工程において散水された焼却灰と土石を混合し、混合した後にセメントを混合する第二工程と、第二工程で混合された混合物並びに、セメント固化を補助する固化薬剤、原水槽からの水、および固化薬剤と原水槽からの水の混合物の流動を容易にする流動可剤とを混合したセメント固化補助剤とを混合し、混合した後の混合物を養生ヤードにて固化する第三工程とで構成したものである。
【発明の効果】
【００１２】
本発明によれば放射性物質を含む焼却灰を洗浄水で洗浄することにより、洗浄後には焼却灰中の放射性物質を除去できる洗浄処理方法及び処理装置を提供する事が出来るものである。また本発明は放射性物質を含む焼却灰を洗浄水で洗浄し、洗浄後の放射性物質を含まない洗浄済焼却灰と土石とを混合し再生土石廃材として再利用可能とするものである。
さらに本発明は、放射性物質の洗浄後洗浄水と放射性物質を吸収吸着した放射性物質吸収剤の混合物は、封入容器へ投入し保管処理する放射性物質の洗浄処理方法及び処理装置を提供する事が出来るものである。
【図面の簡単な説明】
【００１３】
【図１】放射性物質を含む焼却灰の洗浄処理装置を示すシステム図
【図２】洗浄水と放射性物質を含む焼却灰が合流する送水管の構造図
【図３】放射性物質を含まない焼却灰の処理装置を示すシステム図
【発明を実施するための形態】
【００１４】
以下図面に基づいて本発明の実施例を説明する
【００１５】
まず図１の第一工程について説明する。第一工程の源水槽１００よりポンプ８で洗浄水７を送水管６へ送る。
【００１６】
洗浄水７の送られて来る送水管６へ放射性物質を含む焼却灰槽１より放射性物質を含む焼却灰２をスクリューコンベア３で送水管６の焼却灰の投入口１１３より放水管６へ送る。この時放射性物質を含む焼却灰２の飛散を防止する為、源水槽１００よりポンプ５で水を散水スプレー４へ送り放射性物質を含む焼却灰２の散布を防止する。
【００１７】
放水管６で混合した洗浄水７と放射性物質を含む焼却灰２の混合物（図に示せず）を混合撹拌機９へ送り混合撹拌した混合物１０は静置分離槽１１へ送る。
【００１８】
静置分離槽１１では混合物は洗浄後洗浄水１２と洗浄済焼却灰１３に二分し洗浄後洗浄水１２は混合機１７へ送り洗浄済焼却灰１３は脱水機１４へ送る。
【００１９】
脱水機１４は洗浄済焼却灰１３より分離水１５と分離水１５を取除いた洗浄済脱水焼却灰１６に二分する。
【００２０】
脱水機１４で二分した分離水１５を取除いた洗浄済焼却灰１６は第二工程の土石が乗ったベルトコンベア３２へ送る。
【００２１】
脱水機１４で二分した分離水１５は洗浄後洗浄水１２の入った混合機１７へ送る。
【００２２】
混合機１７で混合した混合物２３は脱水機２４へ送られ、脱水機で脱水される。脱水後の混合物の脱水後混合物２６（汚泥）は封入容器２８へ投入する。
【００２３】
混合機１７からの処理水２２と脱水機２４からの処理水２５は、処理水槽２７へ送る。
【００２４】
次に第二工程の説明をする。源石ホッパー２９より土石３０をベルトコンベア３１によりベルトコンベア３２へ送る。コンベア３２の土石３０の上へ分離水１５を取除いた洗浄済脱水焼却灰１６を送り、洗浄済脱水焼却灰１６と土石３０との混合物３３を混合機３４へ送る。
【００２５】
セメント槽３５よりセメント３６はスクリューコンベア３７を介してベルトコンベア３８へ送られる。ベルトコンベア３８でセメント３６を混合物３３が入った混合機３４へ送り混合することで混合物３９を作る。
【００２６】
混合物３９はベルトコンベア４０を介して計量機付中間層４１へ送られた後、第三工程へ送られる。計量機付中間層４１は混合物３９の適量を計量するものある。
【００２７】
第三工程の説明をする。薬剤槽４４より固化薬剤４５を薬注ポンプ４６で２段式計量機付混合機４７の上部へ投入する。
【００２８】
源水槽１００より水をポンプ４８で水量調整機４９へ送り、水量調整後に固化薬剤４５の入った２段式計量機付混合機４７の上部に送り混合しセメント固化補助剤５０を作り、２段式計量機付混合機４７の下部へ送る。
【００２９】
混合物３９の入った混合機４３へ２段式計量機付混合機４７の下部より適量に計量したセメント固化補助剤５０を送り、混合物３９とセメント固化補助剤５０を混合する。
【００３０】
混合機４３で混合した混合物５１は水分含む土石廃材となる。
【００３１】
混合機４３で混合した混合物５１はベルトコンベア５２を介して製品ホッパー５３へ送る
【００３２】
製品ホッパー５３内の混合物５１の適量を可逆ベルトコンベア５４で養生ヤード５５へ送り養生する。
【００３３】
養生ヤード５５で養生した混合物５１は養生後土石廃材となり再利用する事で洗浄焼却灰は海等に処分することなく処理する事が出来る。
【００３４】
図２の説明をする。洗浄水１１０を送る送水管１１１に放射性物質を含む焼却灰１１４を投入する投入口１１３を示す図である。
【００３５】
投入口１１３の前に送水管１１１内に水速弁１１２を設け洗浄水１１０の水速を水速弁１１２により水速弁１１２の上流より下流の水速を早くする。
【００３６】
洗浄水１１０の水速が、水速弁１１２上流より、水速弁１１２下流が速くなる事により投入口１１３より送る放射性物質を含む焼却灰１１４が、投入口外部への悲惨を少なくしスムーズに洗浄水１１０との混合が出来る。
【００３７】
図３について説明する。
【００３８】
図３は、放射性物質を含まない焼却灰の処理を行うものである。
【００３９】
先ず、第一工程を説明する。焼却灰槽１２０からの焼却灰１２１を、スクリューコンベア１２２を介して第二工程の土石１２６の乗ったベルトコンベア１２８へ送る。この時、焼却灰１２１の飛散を防止する為、源水槽２００よりポンプ１２３で水を散水スプレー１２４へ送り、焼却灰１２１の飛散を防止する。
【００４０】
第二工程の説明をする。源石ホッパー１２５より土石１２６を、ベルトコンベア１２７を介してベルトコンベア１２８へ送る。
【００４１】
土石１２６の乗ったベルトコンベア１２８へ第一工程よりの焼却灰１２１を投入する。
【００４２】
ベルトコンベア１２８に乗った土石１２６、焼却灰１２１の混合物１２９を混合機１３０へ投入する。
【００４３】
セメント槽１３１よりセメント１３２を、スクリューコンベア１３３を介して、ベルトコンベア１３４へ送り、混合物１２９の入った混合機１３０へ送り混合物１３５を作る。
【００４４】
混合物１３５を、ベルトコンベア１３６を介して計量機付中間槽１３７へ送る。
【００４５】
計量機付中間槽１３７は混合物１３５と第三工程のセメント固化補助剤１５０を混合する時の混合物１３５の適量を計量する計量機付中間槽１３７である。
【００４６】
計量機付中間槽１３７で計量した混合物１３５を、ベルトコンベア１３８を介して第三工程の混合機１３９へ送る。
【００４７】
薬剤槽１４０より固化薬剤１４１を薬注ポンプ１４２で２段式計量機付混合機１４３の上部へ投入する。
【００４８】
源水槽２００よりポンプ１４７で水１４８を水量調整機１４９へ送り、水量調整後固化薬剤１４１の入った２段式計量機付混合機１４３の上部に送り混合する。
【００４９】
流動可剤槽１４４に入った流動可剤１４５をポンプ１４６で固化薬剤１４１と水量調整した水の入った２段式計量機付混合機１４３の上部へ投入する。
【００５０】
流動可剤１４５は混合機１３９で混合する混合物１３５とセメント固化補助剤１５０の混合物をスムーズにする働きをする。
【００５１】
２段式計量機付混合機１４３の上部で混合した固化薬剤１４１、水量調整後の水と流動可剤１４５はセメント固化補助剤１５０となり２段式計量機付混合機１４３の下部へ送る。
【００５２】
混合物１３５の入った混合機１３９へ２段式計量機付混合機１４３の下部より適量に計量したセメント固化補助剤１５０を混合機１３９へ投入し混合物１３５とセメント固化補助剤１５０を混合する。
【００５３】
混合機１３９で混合した混合物１５１は水分を含む土石廃材となる。
【００５４】
混合機１３９で混合した混合物１５１はベルトコンベア１５２を介して製品ホッパー１５３へ送る。
【００５５】
製品ホッパー１５３内の混合物１５１の適量を可逆ベルトコンベア１５４で養生ヤード１５５に送り養生する。
【００５６】
養生ヤード１５５で養生した混合物１５１は養生後土石廃材となり再利用する事で洗浄焼却灰は海等に処分することなく処理する事が出来る。
【００５７】
尚、図において太字二点鎖線は第１工程、第２工程、第３工程の区画を示す線である。
【符号の説明】
【００５８】
１    放射性物質を含む焼却灰槽
２    放射性物質を含む焼却灰
３    スクリューコンベア
４    散水スプレー
５    ポンプ
６    送水管
７    洗浄水
８    ポンプ
９    混合撹拌機
１０    混合物
１１    静置分離槽
１２    洗浄後洗浄水
１３    洗浄済焼却灰
１４    脱水機
１５    分離水
１６    洗浄済脱水焼却灰
１７    混合機
１８    吸収剤槽
１９    放射性物質吸収剤
２０    凝集剤槽
２１    凝集剤
２２    処理水
２３    混合物
２４    脱水機
２５    処理水
２６    脱水後混合物
２７    処理水槽
２８    封入容器
２９    源石ホッパー
３０    土石
３１    ベルトコンベア
３２    ベルトコンベア
３３    混合物
３４    混合機
３５    セメント槽
３６    セメント
３７    スクリューコンベア
３８    ベルトコンベア
３９    混合物
４０    ベルトコンベア
４１    計量機付中間層
４２    ベルトコンベア
４３    混合機
４４    薬剤槽
４５    固化薬剤
４６    薬注ポンプ
４７    二段式計量機付混合機
４８    ポンプ
４９    水量調整機
５０    セメント固化補助剤
５１    混合物
５２    ベルトコンベア
５３    製品ホッパー
５４    可逆ベルトコンベア
５５    養生ヤード
１００    源水槽
１１０    洗浄水
１１１    送水管
１１２    水速弁
１１３    投入口
１１４    放射性物質を含む焼却灰
１２０    焼却灰槽
１２１    焼却灰
１２３    ポンプ
１２４    散水スプレー
１２５    源石ホッパー
１２６    土石
１２７    ベルトコンベア
１２８    ベルトコンベア
１２９    混合物
１３０    混合物
１３１    セメント槽
１３２    セメント
１３３    スクリューコンベア
１３４    ベルトコンベア
１３５    混合物
１３６    ベルトコンベア
１３７    計量機付中間層
１３８    ベルトコンベア
１３９    混合機
１４０    薬剤槽
１４１    固化薬剤
１４２    薬注ポンプ
１４３    二段式計量機付混合機
１４４    流動可剤槽
１４５    流動可剤
１４６    ポンプ
１４７    ポンプ
１４８    水
１４９    水量調整機
１５０    セメント固化補助剤
１５１    混合物
１５２    ベルトコンベア
１５３    製品ホッパー
１５４    可逆ベルトコンベア
１５５    養生ヤード
２００    源水槽
【図１】
2015131291.tif 000003
【図２】
2015131291.tif 000004
【図３】
2015131291.tif 000005